(57)【要約】  本発明は、破砕機の制御方法に関するものであり、この破砕機は、フレーム（６）と、好ましくは破砕手段を作動させるアクチュエータ（１０）を備える回転式の破砕手段（４）とを備えている。本方法において、少なくとも第１のデータが決定され、この第１のデータは、アクチュエータに加えられる出力、破砕力、破砕機によって作り出される破砕物の破砕片の分布、若しくは、破砕機によって処理される被破砕物の量のうちの少なくとも１つを示すものである。破砕手段（４）の回転周波数は、前記第１のデータに基づき制御される。又、本発明は、破砕手段（４）の回転周波数が、制御ユニット（１４）の制御データに応じて設定される破砕機に関するものである。
2010523309.tif 000002
【特許請求の範囲】
【請求項１】
フレーム（６）と、
回転式の破砕手段（４）と、
前記破砕手段を駆動するアクチュエータ（１０）と、
計測手段(１２、１３)と、
該計測手段に接続され、該計測手段からの計測データを処理して制御データを演算する制御ユニット（１４）とを少なくとも含む破砕機において、
前記制御ユニット（１４）からの制御データに基づき、前記破砕手段（４）の回転周波数を調整する調整手段（１１）を備えることを特徴とする破砕機。
【請求項２】
前記アクチュエータ（１０）への入力を計測する計測手段（１２）を備えることを特徴とする請求項１記載の破砕機。
【請求項３】
前記アクチュエータ（１０）への入力を計測する第１の計測手段（１２）と、破砕力を計測する第２の計測手段（１３）と、前記第１、第２の計測手段からの計測データを処理して制御データを演算する制御ユニット（１４）とを含むことを特徴とする請求項１記載の破砕機。
【請求項４】
破砕機によって生み出された被破砕物の破砕片の分布を計測する計測手段（１３）を含むことを特徴とする請求項１から３のいずれか１項記載の破砕機。
【請求項５】
調整手段（１１）は、前記アクチュエータ（１０）の回転速度を変更するために用いられる周波数変換器であることを特徴とする請求項１から４のいずれか１項記載の破砕機。
【請求項６】
前記制御ユニット（１４）によって、前記アクチュエータ（１０）に対し許容し得る最大入力が決定され、前記制御ユニットによって、前記最大入力となるように前記アクチュエータ（１０）に対する入力が調整されることで、前記破砕手段（４）の回転周波数が設定されることを特徴とする請求項１から５のいずれか１項記載の破砕機。
【請求項７】
前記破砕手段（４）は破砕コーンであることを特徴とする請求項１から６のいずれか１項記載の破砕機。
【請求項８】
フレーム（６）と、
回転式の破砕手段（４）と、
前記破砕手段を駆動するアクチュエータ（１０）とを少なくとも含む破砕機の、
前記アクチュエータへの入力と、
破砕力と、
破砕機によって生み出される被破砕物の破砕片の分布、又は、
破砕機によって生み出される被破砕物の量のうちの少なくとも１つに基づき、少なくとも第１のデータを決定する破砕機の制御方法であって、
前記第１のデータに基づき、前記破砕手段（４）を制御することを特徴とする破砕機の制御方法。
【請求項９】
前記アクチュエータ（１０）への入力に係る第１のデータと、破砕力に係る第２のデータとを決定し、前記第１、第２のデータに基づき、前記破砕手段（４）の回転周波数を制御することを特徴とする請求項８記載の破砕機の制御方法。
【請求項１０】
前記アクチュエータ（１０）への入力と破砕力とを連続的に決定し、前記破砕手段（４）の回転周波数の制御を連続的に行うことを特徴とする請求項８又は９記載の破砕機の制御方法。
【請求項１１】
前記破砕手段（４）の回転周波数を、周波数変換器（１１）によって、前記アクチュエータ（１０）の回転速度に影響を与えることで変更することを特徴とする請求項８から１０のいずれか１項記載の破砕機の制御方法。
【請求項１２】
前記アクチュエータ（１０）に対し許容し得る最大入力を決定し、前記最大入力となるように前記アクチュエータに対する入力を調整することで、前記破砕手段（４）の回転周波数を設定することを特徴とする請求項８から１１のいずれか１項記載の破砕機の制御方法。
【請求項１３】
許容し得る最大破砕力を決定し、前記最大破砕力となるように前記アクチュエータに対する入力を調整することで、前記破砕手段（４）の回転周波数を設定することを特徴とする請求項８から１１のいずれか１項記載の破砕機の制御方法。
【請求項１４】
前記回転周波数を増大させることにより、サイズの小さい破砕片の相対的な量を増大させ、前記回転周波数を減少させることにより、サイズの大きい破砕片の相対的な量を増大させることを特徴とする請求項８記載の破砕機の制御方法。
【発明の詳細な説明】
【技術分野】
【０００１】
本発明は特許請求の範囲の請求項１の前段に掲げられた破砕機に関するものである。又、この発明は、特許請求の範囲の請求項８の前段に掲げられた破砕機の制御方法に関するものである。
【背景技術】
【０００２】
本発明は、破砕機に関し、好ましくは、コーンクラッシャ及びジャイレトリクラッシャに関するものであるが、その構成はインパクトクラッシャ及びジョークラッシャ等他の形式の破砕機にも採用可能である。特に、コーン及びジャイレトリクラッシャは、岩石等の中程度ないし微細に粉砕される被破砕物に用いられるものである。コーンクラッシャは垂直偏心軸を備え、かつ、その内部に形成された傾斜孔を含んでいる。又、通常は保持コーンが固定された主軸が、前記傾斜孔に装着されている。前記保持コーンは、破砕機のフレームに囲まれており、このフレームには、摩滅手段として機能する通称アウタクラッシュブレードが装着されている。又、前記保持コーンには、摩滅部材として用いられる通称インナクラッシュブレードが装着されている。これらインナクラッシュブレード及びアウタクラッシュブレードによって破砕室が構成され、ここに供給された被破砕物が破砕される。前記偏心軸が回転すると、前記主軸及びそれに伴い保持コーンのすりこぎ状の振動が起こり、回転中、インナ及びアウタクラッシュブレードの各点間の間隙を変化させる。回転中に生じる最小の間隙は、破砕機の「セッティング」と称され、最大の間隙と最小の間隙との差は、破砕機の「ストローク」と称される。この破砕機のセッティングと破砕機のストロークとは、被破砕物の破砕片のサイズ分布、破砕機の処理能力等、他の事項にも影響を与えるものである。
【０００３】
典型的なコーンクラッシャの主軸は、破砕コーンの下方にのみ軸支されている。又、いくつかの形式の破砕機は、更に主軸の上端部についても上部スラストベアリングによってフレームに支持されている。後者のコーンクラッシャは、通常ジャイレトリクラッシャと称されるものである。
【０００４】
破砕工程における処理能力と破砕機の効率とを高めるために、被破砕物の質及び量を変化させることで、破砕機の運転調整がなされる。典型的なコーンクラッシャの場合には、破砕機のブレードの「セッティング」を調整することにより、運転調整される。従来技術の解決策では、前記セッティングは消費動力（供給電力）及び破砕力の少なくとも一方に基づき調整されるものである。しかしながら、上述のごとき破砕機の調整は困難であるか、もしくは、ロングストローク型の破砕機においては、必ずしも可能な手法ではない。
【０００５】
ジャイレトリクラッシャは、破砕機のフレームに対し主軸が垂直方向に移動するように、通常は、液圧システムによって調整可能となっている。この構成は、被破砕物の破砕片を所望のサイズに適宜調整することが可能となるように破砕機のセッティングを変更し、及び／又は、クラッシュブレードの磨耗を一定にするようにセッティングを維持するためのものである。他の形式のコーンクラッシャにおける上記調整は、クラッシュブレードが装着された破砕機の上部フレームを昇降させ、これに、破砕機の下部フレーム、及び、下部フレームに対して垂直方向に固定された主軸が連動することにより行われる。
【０００６】
又、消費動力又は破砕力の少なくとも一方に基づき「セッティング」を調整することは、被破砕物の破砕片のサイズを所望の大きさにする上で、大きな影響を与えることが出来ないことが確認されている。例えば、上記調整は、サイズの小さい破砕片に対してはより強い影響を与えるが、サイズの大きな破砕片に対しては影響が限定される。この理由は、調整の手法に更なる改良が必要だからである。
【発明の概要】
【発明が解決しようとする課題】
【０００７】
本発明の目的は、破砕工程における処理能力と、破砕機の効率とを高いレベルに保つことを可能とするための、破砕機の制御技術を提供することにあり、かつ、それをストロークの異なる破砕機にも適用可能とすることにある。
【課題を解決するための手段】
【０００８】
この目的を達成するための、本発明に係る破砕機の第１の特徴部分が、特許請求の範囲の請求項１に係る独立項に示されている。又、本発明に係る方法の第１の特徴部分が、特許請求の範囲の請求項８に係る独立項に示されている。更に、本発明の好ましいいくつかの実施形態が、各従属項に示されている。
【０００９】
下記の用語「コーンクラッシャ」は、コーン及びその軸が如何なる方法で保持されているかを問わず、被破砕物がコーンによって破砕される形式の全ての破砕機を意図するものである。本説明において、コーンクラッシャは破砕機の一例として挙げられたものであり、本発明の課題解決手段は、インパクトクラッシャやジョークラッシャ等、他の形式の破砕機にも適用可能なものである。従って、本発明に係る被破砕物の破砕手法は、破砕コーン以外の他の破砕手段にも効果的である。更には、以下に説明するように、本発明に係る破砕コーンは、他の可動式破砕手段にも適用可能である。
【００１０】
本発明の１つの実施の形態において、破砕コーンを作動させるアクチュエータへの入力（供給電力）、及び、破砕機の破砕力の少なくとも一方に基づき、例えば破砕コーン等の、破砕機の破砕手段の回転速度又は周波数を制御することを特徴とする。
【００１１】
本発明の他の実施の形態においては、破砕機によって作り出される被破砕物の破砕片のサイズ分布に基づき、破砕手段の回転周波数が制御されることを特徴とするものである。
【００１２】
又、本発明の１つの実施の形態において、破砕機により処理される被破砕物の量に基づき、破砕機の破砕手段の回転周波数を制御することを特徴とするものである。
【００１３】
又、本発明の１つの実施の形態において、破砕機は少なくとも１つのフレームと、１つの破砕手段と、該破砕手段を動かすための１つのアクチュエータとを含むものである。更には、破砕機は、アクチュエータへの入力、及び、破砕力の少なくとも一方を計測する計測手段を含んでいる。この破砕機は、更に、計測データ及び制御データを演算処理する制御ユニットを含んでいる。この制御データは、破砕手段の回転周波数を調整するための調整手段を制御するために用いられる。
【００１４】
又、本発明の１つの実施の形態に係る方法は、アクチュエータへの入力、及び、破砕力の少なくとも一方を決定し、このデータを破砕手段の回転周波数の制御に用いるものである。１つの実施の形態では、回転周波数はアクチュエータの回転速度を制御するために調整される。
【００１５】
破砕機の破砕手段の回転周波数等は、供給可能な入力の範囲内で、最大の処理能力と効率を達成することが可能な値とされる。この回転周波数は、被破砕物の質及び入力比等の他の要因にも依存するものである。又、回転周波数は、被破砕片の量及び投入率等、他の要因にも影響されるものである。又、回転周波数は、破砕機のセッティングのみならず、破砕片のサイズにも影響を及ぼすものである。
【００１６】
いくつかの応用例では、破砕機に供給可能な入力の範囲で、被破砕物の処理能力の最大化を達成し得る、破砕手段の最小回転周波数を決定することを目的としている。
【００１７】
又、本発明の１つの実施の形態では、アクチュエータへの入力、及び、破砕力の少なくと一方を連続的に決定し、破砕手段の回転周波数を常時制御するものである。
【００１８】
又、本発明の１つの実施の形態では、被破砕物の破砕片のサイズ分布を調整するために、破砕機の周波数を調整するものである。被破砕物の破砕片のサイズ分布は、破砕手段の回転周波数を適宜変化させるように運転することによって、所望の状態に調整されるものである。
【００１９】
又、本発明の１つの実施の形態では、被破砕物の回転周波数は、アクチュエータの回転速度に影響を及ぼす周波数変換器によって調整されるものである。
【００２０】
又、本発明の１つの実施の形態では、破砕手段の回転周波数の調整は連続的に行われることで、仮に、被破砕物が質／量共に高いレベルにあって短時間で大量に処理される場合であっても、最大の処理能力及び効率を実現するものとなる。
【００２１】
更には、本発明の構成では、回転周波数の調整は、実質的に破砕機のストロークとは関連していない。従って、本発明の構成では、例えば破砕機のストロークの長短を問わず、様々な形式の破砕機に適用可能である。
【００２２】
本発明に係る破砕手段の周波数の調整手法は、他の制御手法と組み合わせることも可能である。１つの実施例としては、必要に応じ、セッティングの変更に対応して破砕手段の回転周波数を変更するものが挙げられる。  
【図面の簡単な説明】
【００２３】
【図１】本発明の実施の形態に係るジャイレトリクラッシャの破砕ユニットを示す図である。
【図２】本発明の実施の形態に係る破砕機の要部模式図である。
【図３】本発明の実施の形態に係る破砕コーンの、回転周波数に応じて変化する破砕力を示すグラフである。
【図４】本発明の実施の形態に係る破砕コーンの、回転周波数に応じて変化する処理量を示すグラフである。
【図５】本発明の実施の形態に係る破砕コーンの、回転周波数に応じて変化する破砕機の処理能力、及び、アクチュエータへの供給電力を示すグラフである。
【図６】前記回転周波数が、破砕物の破砕片のサイズ分布に及ぼす影響を示す図である。
【図７】前記回転周波数が、破砕物の破砕片のサイズ分布に及ぼす影響を示す図である。
【図８】本発明の実施の形態に係る破砕コーンの、回転周波数が破砕機の処理能力に及ぼす影響を示す図である。
【図９】本発明の実施の形態に係る制御方法のフローチャートである。
【発明を実施するための形態】
【００２４】
添付の各図面には、本発明の更なる詳細が開示されている。しかしながら、これらの構造及び詳細は、本発明を理解する上で必須のものではなく、又、本発明の特徴部分を明確化するために、各図には従来技術に相当する部分を省略して示している。
【００２５】
本発明の実施の形態では、一例としてコーンクラッシャを挙げて詳細に説明するが、ここで開示される本発明の構成は、インパクトクラッシャ、ジョークラッシャ等の他の形式の破砕機にも適用可能である。又、本説明では、破砕コーンに関連する構成は、ジョークラッシャのクラッシュジョー等の、他の可動式破砕手段にも適用可能である。
【００２６】
図１に示されたコーンクラッシャユニット１は、垂直偏心軸２及びその内部に形成された傾斜孔を含んでいる。又、主軸３が垂直偏心軸２の傾斜孔に装着され、また、保持コーン４が主軸３に装着されている。そして、摩滅部材として用いられる通称インナクラッシュブレード５が、保持コーン４に装着されている。保持コーン４は破砕機のフレーム６に囲まれ、フレーム６には、摩滅手段として機能する通称アウタクラッシュブレード７が装着されている。これらインナクラッシュブレード５及びアウタクラッシュブレード７によって破砕室８が構成され、ここに供給された被破砕物が破砕される。偏心軸２が回転すると、主軸３及びそれに伴い保持コーン４のすりこぎ状の振動が起こり、回転中、インナクラッシュブレード５及びアウタクラッシュブレード７の各点間の間隙を変化させる。回転中に生じる最小の間隙は、コーンクラッシャのセッティングＳと称され、最大の間隙と最小の間隙との差は、破砕機のストロークと称される。破砕機の運転速度のみならず、破砕機のセッティング及び破砕機のストロークは、被破砕物の破砕片のサイズ分布、破砕機の処理能力等、他の事項にも影響を与えるものである。
【００２７】
本説明において、用語「回転周波数」は、インナクラッシュブレード５及びアウタクラッシュブレード７の各点間の間隙を変化させる速さを定義するものとして用いられている。例えば、回転周波数が６０であるとき、インナクラッシュブレード５の先端部分の軌道上で秒速６０回転、換言すれば毎分３６００回転する。
【００２８】
図２には、電動モータ等の、コーンクラッシャユニット１に求められる動力エネルギーを発生させるアクチュエータ１０が示されている。図１の構成において、アクチュエータ１０の動作は、ドライブシャフト９を介して垂直偏心軸２に伝達される。例えば、アクチュエータ１０は、調整手段１１から、アクチュエータの回転速度を調整するための入力信号を受信する。好適な実施の形態では、調整手段１１は周波数変換器であり、アクチュエータ１０に供給される交流電流の周波数を変更し、それによって電動モータの回転速度を変更するために用いられる。
【００２９】
又、図２には、アクチュエータ１０への供給電力を計測する第１の計測手段１２と、破砕力を計測する第２の計測手段１３とが示されている。第１、第２の計測手段１２、１３は様々な測定手法を採用することが可能である。例えば、アクチュエータ１０が電動モータである場合には、それに対する供給電力を計測するために、電力測定方法又は電流測定方法を採用することができる。又、第１、第２の計測手段１２、１３の配置は、実施態様に応じて適宜決定される。例えば、アクチュエータ１０の出力は、制御手段１１の前後のいずれにおいても計測可能である。一例としては、出力計測手段１２は、制御手段１１に接続する態様で配置される。
【００３０】
更には、破砕力ついても、実施態様に応じて、様々な手法でかつ様々な状況で決定及び計測を行うことが出来る。いくつかの破砕機では、「セッティング」を調整するために用いられる手段によって、破砕力が決定される。例えば、ジャイレトリクラッシャの破砕力は、制御シリンダの圧力を計測することにより決定される。又、コーンクラッシャには、破砕力に比例する圧力のシリンダを付与することもできる。破砕力は、反作用力を計ることによって、測定することが出来る。例えば、圧力計測手段又は反作用力計測手段が、第２の計測手段１３に用いられる。
【００３１】
又、第１、第２の計測手段１２、１３は、異なる変数を計測する様々な形態の計測センサにより構成することが出来る。これらの計測センサにより得られるデータは、アクチュエータ１０への供給電力、及び、破砕力の少なくとも一方を算出するために用いられる。
【００３２】
又、図２に示される制御ユニット１４によって、第１の計測手段１２、及び、第２の計測手段１３の少なくとも一方から得られたデータを変換する。制御ユニット１４は、第１の計測手段１２、及び、第２の計測手段１３の計測データの少なくとも一方を、好ましくはソフトウェアを用いて計算する。かかるデータに基づき、制御ユニット１４は調整手段１１を制御するための制御データを演算する。調整手段１１は、電動モータの回転速度等のアクチュエータ１０の速度を制御する。アクチュエータ１０によって生み出される動力は、ドライブシャフト９、垂直偏心軸２及び主軸３を介して保持コーン４に伝達され、この際、アクチュエータの速度が変更されることで、保持コーン及びインナクラッシュブレード５の回転周波数が変更される。
【００３３】
好ましくは、アクチュエータ１０への供給電力、及び、破砕力の少なくとも一方は連続的に決定され、アクチュエータ１０の回転速度とそれに応じた破砕コーン４とインナクラッシュブレード５の回転周波数も、連続的に制御される。本説明では、この連続的な決定及び制御は、一秒間に数回実行されることが推奨されている。１つの実施の形態では、アクチュエータ１０への供給電力、及び、破砕力の少なくとも一方は、一定間隔を空けて連続的に実行され、瞬時に行われる一回の決定及び制御の実行間隔は、１秒から１０秒である。
【００３４】
又、単一測定法の誤差の影響を最小限に抑えるために、統計学に基づく数学的処理を様々に実行することが可能である。例えば、与えられた計測時間に係る平均値を計算し、調整のためのデータを得るために用いることが可能である。
【００３５】
図３には、一例として、破砕コーン４の回転周波数（ＲＰＭ）に応じて変化する破砕力をグラフ化して示している。図３のグラフのみならず図４、図５のグラフは、試験装置により実施された破砕作業により得られたものであり、石材を４から１０ｍｍのサイズの破砕片に破砕した事例を示している。図３から、破砕コーン４の回転周波数が増加すると破砕力は減少することが理解される。破砕力と周波数とは実質的に直線状の相関関係を有するものである。
【００３６】
図４には、同様にして、本破砕機の、破砕コーン４の回転周波数（ＲＰＭ）に応じた処理量がグラフ化されて示されている。この図には、被破砕物の破砕片の大きさが４ｍｍ以下（０／４ＣＡＰ）、４ｍｍから１０ｍｍ（４／１０ＣＡＰ）、１０ｍｍ以上（＋１０ＣＡＰ）の場合の各グラフが示されている。この図から、破砕コーン４の回転周波数の増加に伴い、処理量が減少していることが解る。また、この相関関係も実質的に直線状となっている。
【００３７】
続いて、図５には、破砕コーン４の回転周波数（ＲＰＭ）に応じた本破砕機の処理能力及びアクチュエータ１０への供給電力がグラフ化されて示されている。この図からは、低い回転周波数では、高い処理能力が得られる反面、より多くの電力が必要となることが解る。同様に、供給電力の低減要求は、高い回転周波数において処理能力の低下を来たすものである。また、この相関関係も実質的に直線状となっている。
【００３８】
図６及び図７には、他の破砕条件を一定に維持した状態での、回転周波数が被破砕物の破砕片のサイズ分布に及ぼす影響が示されている。図６には高い回転周波数の場合が、図７には低い回転周波数の場合が示されている。回転周波数が高い場合には、回転周波数が低い場合と比較して、小さいサイズの破砕片が比較的多く含まれている。
【００３９】
続いて、図８には、本破砕機の処理能力と破砕手段（破砕コーン）４の回転周波数との相関関係が示されている。この図からは、最高点Ｎ０で本破砕機の処理能力が最高になることが解る。必要に応じ、最高点Ｎ０を試験、すなわち、回転周波数を変化させて、それと同時に破砕機の処理能力を観察することにより、求めることが可能である。この試験において、処理能力を変えることで、最高点Ｎ０を決定することができる。更には、Ｎ１−Ｎ２の周波数帯は、試行により、本破砕機が所望の機能を発揮する周波数とする。
【００４０】
何れも破砕コーン４の回転周波数に関連する、上記図３から図８からは、高い処理能力及び効率は、供給される電力に応じて達成されることが読み取れる。この回転周波数は、被破砕物の質や投入率など、他の要素にも起因するものである。又、回転周波数は、破砕機のセッティングのみならず、所望の破砕片のサイズにも影響を受けるものである。
【００４１】
図３から図５によれば、アクチュエータ１０の供給電力と本破砕機の破砕力とが、破砕コーン４の回転周波数を変化させるに当たり、何れも本質的に作用していることが読み取れる。この理由は、破砕コーン４の回転周波数の調整は、もっぱら、アクチュエータ１０への供給電力又は破砕力に起因することによるものだからである。一例として、破砕コーン４の回転周波数の調整は、アクチュエータ１０への供給電力及び本破砕機の破砕力の双方に基づくものであり、いくつかのケースでは、様々な変数を監視することにより、適用性の向上が達成されるものである。
【００４２】
複数の適用例において、被破砕物の高い処理量を達成する上で、実施可能な範囲の最も低い破砕コーン４の回転周波数に係る破砕機の供給電力を見出すことを目的としている。
【００４３】
１つの適用例では、アクチュエータ１０への供給電力及び破砕力の少なくとも一方を、それらの最大値を下回るように維持するための、最も低い回転周波数が定められる。その後、回転周波数は決定値に設定される。かかる態様の手順は、図９にフローチャートで示されている。
【００４４】
又、１つの実施例では、アクチュエータへの供給電力の最大値が決定され、破砕力及びアクチュエータ１０の出力の少なくとも一方を、ほぼ最大値とするように、回転周波数が調整される。
【００４５】
１つの実施の形態では、許容し得る、最大の破砕力及びアクチュエータ１０への供給電力の少なくとも一方を示すデータ（限界値）が、コンピュータプログラムに含まれている。従って、ソフトウェアによって測定値は限界値と比較され、この比較に基づき回転周波数が調整される。限界値は、試験を通じて、又は、個々に所望の限界値をインプットすることにより決定される。
【００４６】
本発明の実施の形態では、破砕コーン４の回転周波数は連続的に調整されることで短時間で様々な大量の被破砕物の破砕を行う場合であっても、最高の破砕工程の効率と、破砕機の稼働率とを実現することができる。
【００４７】
又、破砕コーン４の回転周波数を設定するために、セッティングを調整する等、他の制御手法が組み合わされる。１つの実施例としては、クラッシュブレードのセッティングを変更することで、アクチュエータの出力及びコーンクラッシャユニット１の破砕力の少なくとも一方が影響を及ぼすものである。破砕コーン４の回転周波数を調整する解決方法は、アクチュエータへの供給電力及びコーンクラッシャユニット１の破砕力の少なくとも一方に基づくものであり、適切な手法によって、破砕コーンの回転周波数が変更され、必要に応じ、セッティングを変更する際に、そのセッティングに適合されるものである。
【００４８】
１つの実施の形態では、破砕機の回転周波数が、被破砕物の破砕片のサイズ分布を調整するために設定される。被破砕物の破砕片のサイズ分布は、破砕機を様々な回転周波数で運転することにより、所望の状態に調整される。例えば、回転周波数は、２つ又はそれ以上の数値の回転周波数の間を、短い間隔で変更されるものである。図６、図７を参照すると、回転周波数が増加することで、破砕片のうちサイズの小さなものの占める割合が増加し、同様に、回転周波数が減少すると、破砕片のうちサイズの大きなものの占める割合が増加する。従って、サイズの大きな破砕片の含有比率を高めるために、回転周波数を減少させることになる。同様にして、サイズの小さな破砕片の含有比率を高めるために、回転周波数を増加させることになる。かかる調整は、計測手段１３により適切に行われる、破砕機により処理される破砕片のサイズ分布の測定結果が基礎となる。計測手段１３からの計測データを基礎として、制御ユニット１４により、所望の破砕片のサイズ分布を得るための制御データが演算される。制御ユニット１４から得られる制御データに基づき、破砕手段４の回転周波数が、調整手段１１により調整される。
【００４９】
上述の、クラッシュブレード４の回転周波数の調整態様は、例えば、ロングストローク又はショートストロークの破砕機のみならず、例えば、インパクトクラッシャやジョークラッシャ等、様々な形式のコーンクラッシャに適用可能である。回転周波数の調整に係る構成は、破砕機のストロークとは実質的に独立したものであり、よって、上述の破砕力及びアクチュエータ１０への供給電力の少なくとも一方に基づき調整する手法は、破砕機のストロークに実質的に依存せず、有利なものとなる。
【００５０】
なお、本発明は、本発明の技術思想に含まれる範囲内で、上記実施の形態と異なる様々な運転態様、構造を組み合わせ、他の実施の形態を構成することも可能である。従って、本発明は、上記実施の形態に制限されるものではなく、特許請求の範囲に示された技術思想の範囲内で、様々に応用された実施形態も含まれるものである。
【符号の説明】
【００５１】
１：コーンクラッシャユニット、２：垂直偏心軸、３：主軸、４：保持コーン、５：インナクラッシュブレード、６：フレーム、７：アウタクラッシュブレード、８：破砕室、９：ドライブシャフト、１０：アクチュエータ、１１：調整手段、１２：第１の計測手段、１３：第２の計測手段、１４：制御ユニット
【図１】
2010523309.tif 000003
【図２】
2010523309.tif 000004
【図３】
2010523309.tif 000005
【図４】
2010523309.tif 000006
【図５】
2010523309.tif 000007
【図６】
2010523309.tif 000008
【図７】
2010523309.tif 000009
【図８】
2010523309.tif 000010
【図９】
2010523309.tif 000011
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
フレーム（６）と、
回転式の破砕手段（４）と、
前記破砕手段を駆動するアクチュエータ（１０）とを少なくとも含む破砕機の、
前記アクチュエータへの入力と、
破砕力と、
破砕機によって生み出される被破砕物の破砕片の分布、又は、
破砕機によって生み出される被破砕物の量の値のうちの、少なくとも１つの値に基づき、少なくとも第１のデータを決定し、
かつ、前記データの実測値を計測する破砕機の制御方法であって、
前記第１のデータに基づき、前記実測値が所定の決定値へ向かって変化するように、前記破砕手段（４）の回転周波数を実質上連続的に調整することを特徴とする破砕機の制御方法。
【請求項２】
被破砕物の破砕片のサイズ分布及び回転周波数帯を決定し、前記破砕片のサイズ分布が所定の決定値を超えることがないように、前記回転周波数を前記回転周波数帯内で調整することを特徴とする請求項１記載の破砕機の制御方法。
【請求項３】
回転周波数帯を決定し、該決定値を超えることなく最大の処理量を達成することができるように、前記回転周波数を前記周波数帯域内で調整することを特徴とする請求項１記載の破砕機の制御方法。
【請求項４】
前記破砕手段（４）の回転周波数を、周波数変換器（１１）によって、前記アクチュエータ（１０）の回転速度に影響を与えることで変更することを特徴とする請求項１から３のいずれか１項記載の破砕機の制御方法。
【請求項５】
前記アクチュエータ（１０）に対し許容し得る最大入力を決定し、前記最大入力となるように前記アクチュエータに対する入力を調整することで、前記破砕手段（４）の回転周波数を設定することを特徴とする請求項１から４のいずれか１項記載の破砕機の制御方法。
【請求項６】
許容し得る最大破砕力を決定し、前記最大破砕力となるように前記アクチュエータに対する入力を調整することで、前記破砕手段（４）の回転周波数を設定することを特徴とする請求項１から５のいずれか１項記載の破砕機の制御方法。
【請求項７】
前記回転周波数を増大させることにより、サイズの小さい破砕片の相対的な量を増大させ、前記回転周波数を減少させることにより、サイズの大きい破砕片の相対的な量を増大させることを特徴とする請求項６記載の破砕機の制御方法。
【請求項８】
フレーム（６）と、
回転式の破砕手段（４）と、
前記破砕手段を駆動するアクチュエータ（１０）と、
前記アクチュエータへの入力と、破砕力と、破砕機によって処理される被破砕物の破砕片の分布、又は、破砕機によって処理される被破砕物の量の値のうちの、少なくとも１つの値に基づき、少なくとも第１のデータを決定する手段と、
前記データの実測値を計測する手段とを少なくとも含む破砕機において、
前記実測値が所定の決定値へ向かって変化するように、前記破砕手段（４）の回転周波数を実質上連続的に調整する調整手段（１１、１４）を備えることを特徴とする破砕機。
【請求項９】
記憶媒体に格納されるコンピュータソフトウェア製品であって、請求項１から７のいずれか１項記載の方法を、データ処理手段に実行させるように構成されたプログラムコードを含むこと特徴とするコンピュータソフトウェア製品。
【国際調査報告】
2010523309.tif 000012
2010523309.tif 000013
2010523309.tif 000014